(57)【特許請求の範囲】
【請求項１】
線状であり長手方向の一端のみから給電される光源を保持する器具本体と、外部電源の電力を用いて前記光源を点灯させる電源ブロックと、前記外部電源からの給電が停止したときに前記光源を点灯させる非常灯ブロックと、前記外部電源が接続される電源端子台とを備え、
前記電源ブロックおよび前記非常灯ブロックは、前記器具本体に配置され、かつ前記光源において給電側である前記一端と前記電源ブロックとの間に前記非常灯ブロックが配置され、
前記電源ブロックおよび前記非常灯ブロックそれぞれにおいては、前記電源端子台に第１の電線を介して接続される入力部と前記光源に給電する出力部とが、前記光源の長手方向における異なる端部に設けられており、
前記出力部が前記入力部に対して前記光源の前記一端に近い側に位置し、前記電源ブロックおよび前記非常灯ブロックそれぞれの前記出力部と前記光源の前記一端とが第２の電線を介して一連に接続されていることを特徴とする非常用照明器具。
【請求項２】
前記非常灯ブロックの出力部側の端部に設けた電池接続部に接続される蓄電池をさらに備え、前記蓄電池は、前記光源の長手方向において前記光源の前記一端と前記非常灯ブロックとの間に配置されることを特徴とする請求項１記載の非常用照明器具。
【発明の詳細な説明】
【技術分野】
【０００１】
本発明は、外部電源が供給されている通常時に通常の照明器具として用いられる非常用照明器具に関するものである。
【背景技術】
【０００２】
従来から、商用電源のような外部電源からの給電が停止した非常時に、蓄電池の電力を用いて点灯する非常用照明器具が提供されている。また、この種の非常用照明器具を、外部電源が供給されている通常時にも通常の照明器具として利用できるようにすることが考えられている（例えば、特許文献１、特許文献２参照）。
【０００３】
特許文献１には、通常時に外部電源の電力を用いて光源を点灯させる電子安定器と、非常時にバッテリ（蓄電池）の電力を用いて光源を点灯させる非常灯用安定器とを備え、非常時だけでなく通常時にも点灯する照明器具が記載されている。ただし、特許文献１には、電子安定器や非常灯用安定器などの配置については記載されていない。
【０００４】
また、特許文献２には、通常時に外部電源の電力を用いて光源を点灯させる安定器と、非常時に蓄電池の電力を用いて光源を点灯させる非常灯ブロックとを器具本体に取り付けた照明器具が記載されている。この照明器具は、器具本体の幅方向に並ぶ２本の直管形の蛍光ランプを光源として備える。安定器と非常灯ブロックとは、蛍光ランプと同様に、器具本体の幅方向に並べて配置されている。
【０００５】
特許文献２に記載された照明器具は、２本の蛍光ランプを備えているから、蛍光ランプの直径程度の幅寸法を備える安定器と非常灯ブロックとを器具本体の幅方向に並べて配置することが可能になっている。
【先行技術文献】
【特許文献】
【０００６】
【特許文献１】実用新案登録第３１６６２０５号公報（段落［００２２］）
【特許文献２】特開２０１１−９０９２６号公報（段落［００１７］）
【発明の概要】
【発明が解決しようとする課題】
【０００７】
一方、照明器具には、直管形（すなわち、線状）の光源を１本だけ備えるものもある。たとえば、図７および図８に示すように、直管形の蛍光ランプ１０を１本だけ設けようとすれば、安定器９１と非常灯ブロック９３とを器具本体２０の長手方向に並べなければならない。以下、安定器に代えて「電源ブロック」という。非常用照明器具は、他にも光源を点灯させるために、蓄電池９２と、電源ブロック９１および非常灯ブロック９３を外部電源と接続する電源端子台９４とを備えている必要がある。図示例では、蓄電池９２は、電源ブロック９１および非常灯ブロック９３とともに、器具本体２０の長手方向に並べて配置されている。
【０００８】
図示する非常用照明器具は、器具本体２０の長手方向の両端部にソケット２０１，２０２を備えている。この非常用照明器具は、ソケット２０１側（図７では右側）からソケット２０２側に向って、非常灯ブロック９３、電源ブロック９１、蓄電池９２の順に器具本体２０の長手方向に沿って配置されている。電源ブロック９１および非常灯ブロック９３は、器具本体２０の長手方向における一端部に設けられた入力部に外部電源側の電線が接続され、他端部に設けられた出力部に光源側の電線が接続される。
【０００９】
電源ブロック９１の入力部と電源端子台９４とは電線８１を介して接続され、非常灯ブロック９３の入力部と電源端子台９４とは電線８２を介して接続される。一方、電源ブロック９１の出力部とソケット２０２とは電線８３を介して接続され、非常灯ブロック９３の出力部とソケット２０１とは、電線８４を介して接続される。さらに、電源ブロック９１と非常灯ブロック９３とは、それぞれの出力部の近傍に設けられた電線接続部間が電線８５を介して接続される。この電線８５は、電源ブロック９１と非常灯ブロック９３との出力部を相互に接続し、光源である蛍光ランプ１０に電源ブロック９１と非常灯ブロック９３とのどちらからでも給電できるようにするために設けられている。蓄電池９２は、ソケット２０１側の端部（図８では右端部）に接続された電線８６を介して、非常灯ブロック９３の出力部側の端部に設けられた電池接続部と接続される。図示例では、電線８１〜８５の合計の長さが、ソケット２０１，２０２間の長さの２倍を超えており、また、一部の電線同士が交差して電線の引き回しに手間がかかるという問題が生じる。
【００１０】
本発明は上記事由に鑑みて為されたものであり、電源が供給されている通常時に通常の照明器具として用いられ、電線の合計の長さが比較的短くなる非常用照明器具を提供することを目的とする。
【課題を解決するための手段】
【００１１】
本発明の非常用照明器具は、線状であり長手方向の一端のみから給電される光源を保持する器具本体と、外部電源の電力を用いて光源を点灯させる電源ブロックと、外部電源からの給電が停止したときに光源を点灯させる非常灯ブロックと、外部電源が接続される電源端子台とを備え、電源ブロックおよび非常灯ブロックは、器具本体に配置され、かつ光源において給電側である前記一端と電源ブロックとの間に非常灯ブロックが配置され、電源ブロックおよび非常灯ブロックそれぞれにおいては、電源端子台に第１の電線を介して接続される入力部と光源に給電する出力部とが、光源の長手方向における異なる端部に設けられており、出力部が入力部に対して光源の前記一端に近い側に位置し、電源ブロックおよび非常灯ブロックそれぞれの出力部と光源の前記一端とが第２の電線を介して一連に接続されていることを特徴とする。
【００１２】
この非常用照明器具において、非常灯ブロックの出力部側の端部に設けた電池接続部に接続される蓄電池をさらに備え、蓄電池は、光源の長手方向において光源の前記一端と非常灯ブロックとの間に配置されることが望ましい。
【発明の効果】
【００１３】
本発明の構成によれば、電源が供給されている通常時に通常の照明器具として用いることができ、しかも電線の合計の長さを比較的短くすることができるという利点がある。
【図面の簡単な説明】
【００１４】
【図１】実施形態１を示す概略平面図である。
【図２】同上の分解斜視図である。
【図３】実施形態２を示す分解斜視図である。
【図４】同上の概略平面図である。
【図５】実施形態３を示す分解斜視図である。
【図６】同上の概略平面図である。
【図７】従来構成を示す分解斜視図である。
【図８】同上の概略平面図である。
【発明を実施するための形態】
【００１５】
（実施形態１）
以下に説明する非常用照明器具は、通常時は商用電源のような外部電源の電力を用いて光源を点灯させ、外部電源からの給電が停止した非常時には、内蔵した蓄電池の電力を用いて光源を点灯させるものである。本実施形態の非常用照明器具は、図２に示すように、光源としての直管形（すなわち、線状）のＬＥＤランプ１と、ＬＥＤランプ１を保持する器具本体２とを備える。さらに、非常用照明器具は、通常時にＬＥＤランプ１を点灯させる電源ブロック３１と、蓄電池３２と、非常時にＬＥＤランプ１を点灯させる非常灯ブロック３３と、電源ブロック３１および非常灯ブロック３３を外部電源に接続する電源端子台３４とを備える。
【００１６】
ＬＥＤランプ１は、長手方向の両端部に口金１１，１２を備え、一方の口金１１のみから電力が供給される。
【００１７】
器具本体２は、図１に示すように、平面視において長方形状であって、器具本体２の長手方向の各一端部にはＬＥＤランプ１を取り付けるソケット２１，２２がそれぞれ配置される。ソケット２１にはＬＥＤランプ１の口金１１が結合され、ソケット２２には口金１２が結合される。また、ソケット２１のみからＬＥＤランプ１に電力が供給され、ソケット２２には給電されない。
【００１８】
電源ブロック３１は、外部電源が供給されている通常時に外部電源からの電力を用いてＬＥＤランプ１に電力を供給する。非常灯ブロック３３は、通常時に蓄電池３２を充電し非常時に蓄電池３２からの電力を用いてＬＥＤランプ１に電力を供給する。蓄電池３２は、一端面に電線４５の一端が接続される。電線４５の他端には、非常灯ブロック３３と接続するためのコネクタが設けられる。
【００１９】
電源ブロック３１、蓄電池３２、非常灯ブロック３３は、器具本体２のソケット２１，２２の間に、器具本体２の長手方向に沿って並べられ、ソケット２１側からソケット２２側に向って、蓄電池３２、非常灯ブロック３３、電源ブロック３１の順に配置される。電源端子台３４は、電源ブロック３１と非常灯ブロック３３との近傍に配置される。また、電源ブロック３１と蓄電池３２とは、器具本体２の長手方向において非常灯ブロック３３を挟んで配置される。この配置により、外部電源から供給される電力でＬＥＤランプ１を点灯させている間に通電されて発熱する電源ブロック３１から蓄電池３２を離間させて配置することになり、蓄電池３２が電源ブロック３１の発熱の影響を受けにくくなる。
【００２０】
図１に示すように、電源ブロック３１は、外部電源が接続される入力部をソケット２２側（図１では左側）に向けて配置される。同様に、非常灯ブロック３３も、外部電源が接続される入力部をソケット２２側に向けて配置される。また、蓄電池３２は、電線４５が接続された端部をソケット２２側へ向けて配置される。
【００２１】
電源ブロック３１の入力部と電源端子台３４とは電線４１を介して接続され、非常灯ブロック３３の入力部と電源端子台３４とは電線４２を介して接続される。非常灯ブロック３３においてＬＥＤランプ１に電力を供給する出力部とソケット２１とは、電線４３を介して接続される。また、電源ブロック３１においてＬＥＤランプ１に電力を供給する出力部は、非常灯ブロック３３の出力部近傍に設けられた電線接続部に、電線４４を介して接続される。電線４４は、電源ブロック３１から電線４３を通してＬＥＤランプ１に電力を供給するために設けられている。したがって、電源ブロック３１と非常灯ブロック３３とソケット２１とは、電線４３，４４を介して一連に接続される。本実施形態の構成を採用することにより、電線４１，４２および電線４３，４４の合計の長さが、ソケット２１，２２間の長さの２倍よりも短くなる。また、長手方向の一端のみから給電するＬＥＤランプ１を光源に用いているから、電線同士が交差しにくくなる。さらに、電源ブロック３１と非常灯ブロック３３との入力部同士および出力部同士の向きを揃えているので、電線の引き回しが容易である。
【００２２】
また、蓄電池３２は、電線４５を介して、非常灯ブロック３３の出力部側の端部に設けられた電池接続部と接続される。
【００２３】
図２に示すように、非常用照明器具は、蓄電池３２から正常に電力供給されるかを点検する点検スイッチ３５をさらに備える。点検スイッチ３５は、操作用紐３５１を備えており、操作用紐３５１を引くことにより、電源端子台３４から非常灯ブロック３３への電力の供給を停止させ、蓄電池３２から電力が供給されるかを点検する。また、器具本体２とＬＥＤランプ１との間には、両端部にソケット２１，２２が挿通される開口を備える逆富士型の反射板２４が配置される。
【００２４】
本実施形態においては、ＬＥＤランプ１を光源として用いているが、蛍光灯など他の光源を用いてもよい。
（実施形態２）
本実施形態においては、図３および図４に示すように、蓄電池３２を電源ブロック３１に対してソケット２２側（図４では左側）に配置した点が実施形態１と相違する。蓄電池３２は、電線４５が接続される端部をソケット２１側（図４では右側）へ向けて配置される。
【００２５】
器具本体２の長手方向において、非常灯ブロック３３がソケット２１と並んで配置されており、非常灯ブロック３３の出力部とソケット２１とを接続する電線４３が短くなる。本実施形態では、電線４１，４２および電線４３，４４の合計の長さが、ソケット２１，２２間の長さの２倍よりも短くなる。
【００２６】
その他の構成および機能は実施形態１と同様である。
（実施形態３）
本実施形態においては、図５および図６に示すように、光源として２本のＬＥＤランプ１３，１４を用いた点が実施形態１と相違する。本実施形態では、通常時にはＬＥＤランプ１３，１４の両方が点灯しており、非常時にはＬＥＤランプ１３のみが点灯する。ＬＥＤランプ１３は、長手方向の両端部に口金１３１，１３２を備え、一方の口金１３１のみから電力が供給される。また、ＬＥＤランプ１４は、長手方向の両端部に口金１４１，１４２を備え、一方の口金１４２のみから電力が供給される。
【００２７】
本実施形態の器具本体２００は、外周形状が矩形状に形成されており、中央部には、長手方向に沿って細長い取付部２５が設けられる。取付部２５の長手方向の一端部（図５では右端部）には、器具本体２００の幅方向に離間してソケット２１１，２１２が設けられ、他端部（図５では左端部）には、器具本体２００の幅方向に離間してソケット２２１，２２２が設けられる。ソケット２１１とソケット２２１とは、器具本体２００の長手方向に対向して配置され、ソケット２１１，２２１にＬＥＤランプ１３が取り付けられる。ＬＥＤランプ１３は、ソケット２１１に口金１３１が結合され、ソケット２２１に口金１３２が結合される。ＬＥＤランプ１３には、ソケット２１１のみから電力が供給され、ソケット２２１には給電されない。また、ソケット２１２とソケット２２２とは、器具本体２００の長手方向に対向して配置され、ソケット２１２，２２２にＬＥＤランプ１４が取り付けられる。ＬＥＤランプ１４は、ソケット２１２に口金１４１が結合され、ソケット２２２に口金１４２が結合される。ＬＥＤランプ１４には、ソケット２２２のみから電力が供給され、ソケット２１２には給電されない。つまり、ＬＥＤランプ１３，１４は、器具本体２００の長手方向において、互いに反対側のソケット２１１とソケット２２２とから給電される。
【００２８】
電源ブロック３１、蓄電池３２、および非常灯ブロック３３は、器具本体２００のソケット２１１，２１２とソケット２２１，２２２との間に、器具本体２００の長手方向に沿って並べて配置される。本実施形態では、ソケット２１１，２１２側からソケット２２１，２２２側へ向って、蓄電池３２、非常灯ブロック３３、電源ブロック３１の順に配置される。電源端子台３４は、器具本体２００の幅方向において電源ブロック３１と並ぶ。また、電源ブロック３１と蓄電池３２とは、器具本体２００の長手方向において非常灯ブロック３３を挟んで配置される。
【００２９】
図６に示すように、電源ブロック３１は、外部電源が接続される入力部をソケット２２１，２２２側（図６では左側）に向けて配置される。同様に、非常灯ブロック３３も、外部電源が接続される入力部をソケット２２１，２２２側に向けて配置される。また、蓄電池３２は、電線４５が接続された端部をソケット２２１，２２２側へ向けて配置される。
【００３０】
非常灯ブロック３３の出力部とソケット２１１とは、電線４３により接続されている。本実施形態では、電線４１，４２および電線４３，４４の合計の長さが、ソケット２１１，２２１間の長さの２倍よりも短くなる。
【００３１】
また、電源ブロック３１の出力部とソケット２２２とは、電線４６により接続される。このように、通常時のみ点灯するＬＥＤランプ１４がソケット２２２により給電されることにより、電線４１，４２および電線４３，４４に電線４６を加えた合計の長さが、ソケット２１１，２２１間の長さの２倍程度になる。
【００３２】
図５に示すように、器具本体２００とＬＥＤランプ１３，１４との間には、両端部にソケット２１１，２１２，２２１，２２２が挿通される開口を備える逆富士型の反射板２４１が配置される。
【００３３】
その他の構成および機能は実施形態１と同様である。
【符号の説明】
【００３４】
１  ＬＥＤランプ（光源）
１３，１４  ＬＥＤランプ（光源）
２  器具本体
３１  電源ブロック
３２  蓄電池
３３  非常灯ブロック
３４  電源端子台
４１，４２  （第１の）電線
４３，４４  （第２の）電線
【図１】
0005914851.tif 000002
【図２】
0005914851.tif 000003
【図３】
0005914851.tif 000004
【図４】
0005914851.tif 000005
【図５】
0005914851.tif 000006
【図６】
0005914851.tif 000007
【図７】
0005914851.tif 000008
【図８】
0005914851.tif 000009